(57)【要約】【課題】複数の番組の録画予約時に番組の放送時間の変更に対して、録画予約の重複が発生した場合に双方の番組の録画を可能にする。【解決手段】放送局の番組の録画予約を行う放送番組録画システムに、放送局から受信した番組情報、放送時間変更情報を提供する番組情報提供装置１２０と、番組情報に基づく複数の番組の各々の録画予約を放送時間変更情報に基づき更新すると録画予約に重複する時間帯が生じる場合には、重複する時間帯以外の録画予約を更新するレコーダ装置１３０と、レコーダ装置の録画予約の更新で除かれた重複する時間帯の録画予約を行う携帯端末１４０とを備える。【選択図】図１
2007235258.tif 000002
【特許請求の範囲】
【請求項１】
放送局の番組の録画予約を行う放送番組録画システムにおいて、
前記放送局から受信した番組情報、放送時間変更情報を提供する番組情報提供装置と、
前記番組情報に基づく複数の番組の各々の録画予約を放送時間変更情報に基づき更新すると録画予約に重複する時間帯が生じる場合には、重複する時間帯以外の録画予約を更新するレコーダ装置と、
前記レコーダ装置の録画予約の更新で除かれた重複する時間帯の録画予約を行う携帯端末とを備えることを特徴とする放送番組録画システム。
【請求項２】
前記レコーダ装置が前記番組情報提供装置から番組情報、放送時間変更情報の提供を受ける場合には、前記レコーダ装置から前記携帯端末に録画予約に重複する時間帯の差分録画を送信し、送信先の前記携帯端末では前記携帯端末又は前記レコーダ装置で差分録画の録画予約を実行すべきか決定し、前記レコーダ装置で差分録画の録画予約を実行すべきと決定した場合には、この決定を前記携帯端末から前記レコーダ装置に差分録画実行指示を送信し、前記レコーダ装置で前記差分録画実行指示を受信した場合には、放送時間変更のあった番組の録画予約を行い、重複する他の番組の録画予約をキャンセルすることを特徴とする、請求項１に記載の放送番組録画システム。
【請求項３】
前記携帯端末が前記番組情報提供装置から番組情報、放送時間変更情報の提供を受ける場合には、前記携帯端末では前記携帯端末又は前記レコーダ装置で差分録画の録画予約を実行すべきか決定し、前記レコーダ装置で差分録画の録画予約を実行すべきと決定した場合には、この決定を前記携帯端末から前記レコーダ装置に差分録画実行指示を送信し、前記レコーダ装置で前記差分録画実行指示を受信した場合には、放送時間変更のあった番組の録画予約を行い、重複する他の番組の録画予約をキャンセルすることを特徴とする、請求項１に記載の放送番組録画システム。
【請求項４】
前記携帯端末は、放送時間変更のあった番組のうち重複した時間帯の録画予約を行い、前記レコーダ装置は前記番組のうち重複した時間帯以外の録画予約を行うことを特徴とする、請求項１に記載の放送番組録画システム。
【請求項５】
前記携帯端末は、放送時間変更のあった番組と重複する他の番組のうち重複した時間帯の録画予約を行い、前記レコーダ装置は前記他の番組のうち重複した時間帯以外の録画予約を行うことを特徴とする、請求項１に記載の放送番組録画システム。
【請求項６】
放送時間変更情報に対して重複がある場合、前記レコーダ装置では放送時間変更情報に該当する番組の録画予約情報を更新し、重複した他の番組の録画予約をキャンセルし、前記レコーダ装置から前記携帯端末に対して重複した他の番組の録画予約を行うようにすることを特徴とする、請求項１に記載の放送番組録画システム。
【請求項７】
放送時間変更情報に対して重複がある場合、前記レコーダ装置では放送時間変更情報に該当する番組の録画予約をキャンセルし、前記レコーダ装置から前記携帯端末に対して放送時間変更情報に該当する前記番組の録画予約を行うようにすることを特徴とする、請求項１に記載の放送番組録画システム。
【請求項８】
放送時間変更情報に対して重複がない場合、放送時間変更情報に該当する番組を前記携帯端末で録画予約を行い、前記レコーダ装置では放送時間変更情報に該当する前記番組の録画予約をキャンセルすることを特徴とする、請求項１に記載の放送番組録画システム。
【請求項９】
前記携帯端末は、予定の時間帯に放送時間変更情報があった場合、自動的に重複する時間帯の録画予約を行うことを特徴とする、請求項１に記載の放送番組録画システム。
【請求項１０】
放送局の番組の録画予約を行う放送番組録画方法において、
前記放送局から受信した番組情報、放送時間変更情報を提供する工程と、
前記番組情報に基づく複数の番組の各々をレコーダ装置に録画予約し、録画予約を放送時間変更情報に基づき更新すると録画予約に重複する時間帯が生じる場合には、重複時間帯以外の録画予約を更新する工程と、
前記レコーダ装置の録画予約の更新で除かれた重複時間帯の録画予約を携帯端末で行う工程とを備えることを特徴とする放送番組録画方法。
【請求項１１】
放送局の番組の録画予約を行う放送番組録画をコンピュータで実行するプログラムにおいて、
前記放送局から受信した番組情報、放送時間変更情報を提供する手順と、
前記番組情報に基づく複数の番組の各々をレコーダ装置に録画予約し、録画予約を放送時間変更情報に基づき更新すると録画予約に重複する時間帯が生じる場合には、重複時間帯以外の録画予約を更新する手順と、
前記レコーダ装置の録画予約の更新で除かれた重複時間帯の録画予約を携帯端末で行う手順とを備えることを特徴とする、放送番組録画をコンピュータで実行するプログラム。
【請求項１２】
放送局の番組の録画予約を行うレコーダ装置において、
放送波を受信する放送受信部と、
番組情報、放送時間変更情報を受信し、録画予約機能を有する携帯端末と通信する通信部と、
録画予約情報、前記放送受信部で受信した番組の録画データを保存する記憶部と、
前記記憶部に保存された前記番組情報、放送時間変更情報に基づき複数の番組の録画予約を行い、録画予約を放送時間変更情報に基づき更新すると録画予約に重複する時間帯が生じる場合には、重複時間帯以外の録画予約を更新し、前記録画予約の更新で除かれた重複時間帯の録画予約を携帯端末に行わせる制御部とを備えることを特徴とするレコーダ装置。
【請求項１３】
放送局の番組の録画が可能である携帯端末において、
放送波を受信する放送受信部と、
番組情報、放送時間変更情報を受信し、録画予約機能を有するレコーダ装置と通信する通信部と、
録画予約情報、前記放送受信部で受信した番組の録画データを保存する記憶部と、
前記記憶部に保存された前記番組情報、放送時間変更情報に基づき複数の番組の録画予約を行い、録画予約を放送時間変更情報に基づき更新すると録画予約に重複する時間帯が生じる場合には、重複時間帯以外の録画予約を更新し、前記録画予約の更新で除かれた重複時間帯の録画予約を前記レコーダ装置に行わせる制御部とを備えることを特徴とする携帯端末。
【発明の詳細な説明】
【技術分野】
【０００１】
本発明は放送番組を予約して録画する放送番組録画システムに関する。特に、本発明は、録画予約した番組の放送時間変更により他の番組と録画予約が重複しても双方の録画を可能にする放送番組録画システム、方法、プログラム、レコーダ装置及び携帯端末に関する。
【背景技術】
【０００２】
従来、ハードディスクレコーダやテレビジョン（以下テレビと呼ぶ）機能搭載パソコン（以下レコーダ装置と呼ぶ）において、複数の番組の録画予約が可能であり、番組の放送時間の変更に対してはスポーツ番組等の放送時間延長を予測してあらかじめ延長予想部分を録画設定しておくか、もしくは、自分で放送時間延長を予測して、携帯電話等で電子番組表（ＥＰＧ）サービスにアクセスして延長／変更情報を入手し、レコーダ装置の録画予約を更新することが周知である。前述したように、あらかじめ延長予想部分を録画設定しておく場合には、レコーダ装置内に予想録画分の余分な記憶領域を確保する必要がある。
【０００３】
しかしながら、延長／変更で放送番組が更新された録画予約と同時間に他のテレビ放送局に裏番組の予約があり重複が生じる場合に、重複した番組のどちらかの番組しか録画することができないなど、見逃しが発生する場合が多かったという問題がある。
このようなレコーダ装置に関連して以下のような従来技術がある。
従来、番組の編成変更に伴う録画予約時間の重複を検出、検知し、希望する番組を録画できる録画予約システムを得るため、予約機能付録画装置において、録画予約している番組の編成が変更され、それに合わせて、予約情報を変更する際に録画予約時間帯が重複した場合、その情報を遠隔地のパソコンや携帯情報端末や携帯電話にＷＡＮを介して通知し、通知を受けたパソコンや携帯情報端末や携帯電話は録画予約を行う番組の選択情報を与え、予約機能付録画装置がそれを受信し録画予約番組を決定する手段を備え、使用者が希望する番組を確実に予約することを可能とするものがある（例えば、特許文献１参照）。
【０００４】
しかしながら、上記特許文献１では、予約情報を変更する際に録画予約時間帯が重複した場合、携帯情報端末等の選択により希望する番組を予約するが、重複した番組のどちらかの番組しか録画することができず見逃しが発生する場合、この見逃しを回避するものではない。
また、従来、記録予約を設定する際若しくはそれを設定した後でも、確実に、流動的な番組編成に即座に対応するため、ユーザ携帯端末は、放送局からのＴＶ放送信号に含まれている番組関連データから、規定の番組編成が変更されたこと及び変更後の番組編成を知得したときは、既に登録済みの１以上の番組予約情報を取得し、放送時間帯が変更されたＴＶ番組に関する番組予約情報があるか否かを判断し、もし、そのような番組予約情報があれば、ユーザ携帯端末は、変更後の番組編成に基づいて、その番組予約情報の内容を変更した新たな番組予約情報を作成して記録制御装置に送信し、記録制御装置は、その新たな番組予約情報を、既存の番組予約情報に上書きするものがある（例えば、特許文献２参照）。
【０００５】
しかしながら、上記特許文献２では、放送時間帯が変更されたＴＶ番組に関する番組予約情報があれば、ユーザ携帯端末は、変更後の番組編成に基づいて、その番組予約情報の内容を変更した新たな番組予約情報を作成して記録制御装置は、その新たな番組予約情報を、既存の番組予約情報に上書きするものがあるが、前述のように、重複した番組のどちらかの番組しか録画することができず見逃しが発生する場合、この見逃しを回避するものではない。
【０００６】
【特許文献１】特開２００２−０１６８８９号公報
【特許文献２】特開２００４−２１５０３１号公報
【発明の開示】
【発明が解決しようとする課題】
【０００７】
したがって、本発明は上記問題点に鑑みて、複数の番組の録画予約時に番組の放送時間の変更に対して、録画予約の重複が発生した場合に双方の番組の録画を可能にし、番組の見逃しを回避可能にする放送番組録画システム、方法、プログラム、レコーダ装置及び携帯端末を提供することを目的とする。
【課題を解決するための手段】
【０００８】
本発明は前記問題点を解決するために、放送局の番組の録画予約を行う放送番組録画システムにおいて、前記放送局から受信した番組情報、放送時間変更情報を提供する番組情報提供装置と、前記番組情報に基づく複数の番組の各々の録画予約を放送時間変更情報に基づき更新すると録画予約に重複する時間帯が生じる場合には、重複する時間帯以外の録画予約を更新するレコーダ装置と、前記レコーダ装置の録画予約の更新で除かれた重複する時間帯の録画予約を行う携帯端末とを備えることを特徴とする放送番組録画システムを提供する。
【０００９】
さらに、前記レコーダ装置が前記番組情報提供装置から番組情報、放送時間変更情報の提供を受ける場合には、前記レコーダ装置から前記携帯端末に録画予約に重複する時間帯の差分録画を送信し、送信先の前記携帯端末では前記携帯端末又は前記レコーダ装置で差分録画の録画予約を実行すべきか決定し、前記レコーダ装置で差分録画の録画予約を実行すべきと決定した場合には、この決定を前記携帯端末から前記レコーダ装置に差分録画実行指示を送信し、前記レコーダ装置で前記差分録画実行指示を受信した場合には、放送時間変更のあった番組の録画予約を行い、重複する他の番組の録画予約をキャンセルする。
【００１０】
さらに、前記携帯端末が前記番組情報提供装置から番組情報、放送時間変更情報の提供を受ける場合には、前記携帯端末では前記携帯端末又は前記レコーダ装置で差分録画の録画予約を実行すべきか決定し、前記レコーダ装置で差分録画の録画予約を実行すべきと決定した場合には、この決定を前記携帯端末から前記レコーダ装置に差分録画実行指示を送信し、前記レコーダ装置で前記差分録画実行指示を受信した場合には、放送時間変更のあった番組の録画予約を行い、重複する他の番組の録画予約をキャンセルする。
【００１１】
さらに、前記携帯端末は、放送時間変更のあった番組のうち重複した時間帯の録画予約を行い、前記レコーダ装置は前記番組のうち重複した時間帯以外の録画予約を行う。
さらに、前記携帯端末は、放送時間変更のあった番組と重複する他の番組のうち重複した時間帯の録画予約を行い、前記レコーダ装置は前記他の番組のうち重複した時間帯以外の録画予約を行う。
さらに、放送時間変更情報に対して重複がある場合、前記レコーダ装置では放送時間変更情報に該当する番組の録画予約情報を更新し、重複した他の番組の録画予約をキャンセルし、前記レコーダ装置から前記携帯端末に対して重複した他の番組の録画予約を行うようにする。
【００１２】
さらに、放送時間変更情報に対して重複がある場合、前記レコーダ装置では放送時間変更情報に該当する番組の録画予約をキャンセルし、前記レコーダ装置から前記携帯端末に対して放送時間変更情報に該当する前記番組の録画予約を行うようにする。
さらに、放送時間変更情報に対して重複がない場合、放送時間変更情報に該当する番組を前記携帯端末で録画予約を行い、前記レコーダ装置では放送時間変更情報に該当する前記番組の録画予約をキャンセルする。
【００１３】
さらに、前記携帯端末は、予定の時間帯に放送時間変更情報があった場合、自動的に重複する時間帯の録画予約を行う。
さらに、本発明は、放送局の番組の録画予約を行う放送番組録画方法において、前記放送局から受信した番組情報、放送時間変更情報を提供する工程と、前記番組情報に基づく複数の番組の各々をレコーダ装置に録画予約し、録画予約を放送時間変更情報に基づき更新すると録画予約に重複する時間帯が生じる場合には、重複時間帯以外の録画予約を更新する工程と、前記レコーダ装置の録画予約の更新で除かれた重複時間帯の録画予約を携帯端末で行う工程とを備えることを特徴とする放送番組録画方法を提供する。
【００１４】
さらに、本発明は、放送局の番組の録画予約を行う放送番組録画をコンピュータで実行するプログラムにおいて、前記放送局から受信した番組情報、放送時間変更情報を提供する手順と、前記番組情報に基づく複数の番組の各々をレコーダ装置に録画予約し、録画予約を放送時間変更情報に基づき更新すると録画予約に重複する時間帯が生じる場合には、重複時間帯以外の録画予約を更新する手順と、前記レコーダ装置の録画予約の更新で除かれた重複時間帯の録画予約を携帯端末で行う手順とを備えることを特徴とする、放送番組録画をコンピュータで実行するプログラムを提供する。
【００１５】
さらに、本発明は、放送局の番組の録画予約を行うレコーダ装置において、放送波を受信する放送受信部と、番組情報、放送時間変更情報を受信し、録画予約機能を有する携帯端末と通信する通信部と、録画予約情報、前記放送受信部で受信した番組の録画データを保存する記憶部と、前記記憶部に保存された前記番組情報、放送時間変更情報に基づき複数の番組の録画予約を行い、録画予約を放送時間変更情報に基づき更新すると録画予約に重複する時間帯が生じる場合には、重複時間帯以外の録画予約を更新し、前記録画予約の更新で除かれた重複時間帯の録画予約を携帯端末に行わせる制御部とを備えることを特徴とするレコーダ装置を提供する。
【００１６】
さらに、本発明は、放送局の番組の録画が可能である携帯端末において、放送波を受信する放送受信部と、番組情報、放送時間変更情報を受信し、録画予約機能を有するレコーダ装置と通信する通信部と、録画予約情報、前記放送受信部で受信した番組の録画データを保存する記憶部と、前記記憶部に保存された前記番組情報、放送時間変更情報に基づき複数の番組の録画予約を行い、録画予約を放送時間変更情報に基づき更新すると録画予約に重複する時間帯が生じる場合には、重複時間帯以外の録画予約を更新し、前記録画予約の更新で除かれた重複時間帯の録画予約を前記レコーダ装置に行わせる制御部とを備えることを特徴とする携帯端末を提供する。
【発明の効果】
【００１７】
以上説明したように、本発明によれば、放送局から受信した番組情報、放送時間変更情報を提供し、番組情報に基づく複数の番組の各々をレコーダ装置に録画予約し、録画予約を放送時間変更情報に基づき更新すると録画予約に重複する時間帯が生じる場合には、重複時間帯以外の録画予約のみを更新し、レコーダ装置の録画予約の更新で除かれた重複時間帯の録画予約を携帯端末で行うようにしたので、携帯端末とレコーダ装置と連携して放送時間変更で重複した番組の録画が可能になり、番組を見逃す機会を大幅に減らすことが可能になり、不要な録画分の記憶領域の消費を最低限に抑えることが可能になる。
【発明を実施するための最良の形態】
【００１８】
以下、本発明の実施の形態について図面を参照して説明する。
図１は本発明に係る放送番組録画システムの概略構成を示すブロック図である。なお、全図を通して同一の構成要素には同一の番号、符号を付して説明を行う。
本図に示すように、放送番組録画システムは、番組の放送波を送出する放送局１１０と、放送局１１０から番組の放送スケジュールである番組情報と番組放送時間の変更情報を受け取る番組情報提供装置１２０と、放送局１１０の放送波を受信して予約番組を録画／閲覧するレコーダ装置１３０と、放送局１１０の放送波を受信して閲覧可能であり、予約番組録画／閲覧可能であり、レコーダ装置１３０に対して録画の制御を行う携帯端末１４０とで構成され、コンピュータで実行されるプログラムで制御される。
【００１９】
放送局１１０と番組情報提供装置１２０、番組情報提供装置１２０とレコーダ装置１３０、レコーダ装置１３０と携帯端末１４０とは図示しないインターネット等のネットワークで接続されている。
携帯端末１４０は地上波デジタル／アナログテレビ放送波の受信対応が可能である。
また、本図では、放送局１１０を１つしか図示していないが、番組情報提供装置１２０は、あるエリアに存在する複数の放送局１１０から情報提供を受けるものとする。
【００２０】
レコーダ装置１３０及び携帯端末１４０は、予め、番組情報提供装置１２０から番組情報及び放送時間変更情報を受信できるように、番組情報提供装置１２０に登録されている。
また、本実施例においては、レコーダ装置１３０において番組情報を参照して番組の録画予約を行った場合を想定している（これは既製品で実現されている技術を用いることができる）。
【００２１】
図２は図１における番組情報提供装置１２０の概略機能を示すブロック図である。番組情報提供装置１２０は、既存の情報提供用のサーバ装置で実現され、本図に示すように、通信部１２１、記憶部１２２、制御部１２３を有する。
特に、通信部１２１はネットワークと接続して放送局１１０から番組情報、放送時間変更情報を受信し、レコーダ装置１３０に送信し、記憶部１２２は受信した番組情報、放送時間変更情報を保存し、制御部１２３は通信部１２１、記憶部１２２の制御を行う。
【００２２】
図３は図１におけるレコーダ装置１３０の概略機能を示すブロック図である。本図に示すように、レコーダ装置１３０は、通信部１３１、放送受信部１３２、記憶部１３３、制御部１３４、操作部１３５を有する。
特に、通信部１３１はネットワークと接続して番組情報提供装置１２０の通信部１２１から番組情報及び放送時間変換情報を受信し、携帯端末１４０に後述する差分録画情報を送信し携帯端末１４０から録画実行指示を受信し、放送受信部１３２は放送波を受信し録画できるように復調し、操作部１３５は録画予約の入力を行い、記憶部１３３は操作部１３５から入力した録画情報、放送受信部１３２から受信した録画データを保存し、制御部１３４は放送時間変更時に録画予約に重複があった場合、差分録画と差分録画以外の録画をレコーダ装置１３０と携帯端末１４０で別々に予約する制御を行う。
【００２３】
ただし、図３では表示部を設けていないが、これは通常テレビ等で代用するものである
図４は図１における携帯端末１４０の概略機能を示すブロック図である。本図に示すように、携帯端末１４０は、通信部１４１、放送受信部１４２、記憶部１４３、制御部１４４、操作部１４５、表示部１４６を有する。
通信部１４１はネットワークと接続してレコーダ装置１３０の通信部１３１から差分録画情報を受信し、通信部１３１に後述する録画実行指示を送信し、放送受信部１４２は放送波を受信し録画／閲覧できるように復調し、記憶部１４３は各機能を実行するための処理プログラム・録画予約情報／番組の録画データ等を保存し、操作部１４５はユーザからの操作が入力され、表示部１４６は、番組、プログラムの実行画面等を表示し、制御部１４４は携帯端末１４０の全体の制御を行い、レコーダ装置１３０の制御部１３４と共に放送時間変更時に録画予約に重複があった場合、差分録画と差分録画以外の録画をレコーダ装置１３０と携帯端末１４０で別々に予約する制御を行う。
【００２４】
図５は図１における番組情報提供装置１２０が保存し提供している、番組情報の一例を示す図である。本図に示すように、番組情報提供装置１２０の記憶部１２２に保存される番組情報は、「番組名（番組ＩＤ）」、「放送局名」、「放送日」、「開始時刻」及び「終了時刻」で構成される。本図に示すように、分かりやすくするために番組名、放送局名等をテキスト情報で表記しているが、これはＩＤ等コード情報を用いてもよい。
【００２５】
記憶部に保存される一例として、特定日の時間帯に、番組情報として、放送局「テレビ○○」の「プロ野球△△対□□」、「ニュース」、「ドラマスペシャル」、…、「ドキュメント日本」が保存されているとする。
記憶部１２２に保存される番組の開始時刻及び終了時刻は放送時間変更情報により変更される。
【００２６】
番組情報提供装置１２０は登録されているレコーダ装置１３０に対して番組情報及び放送時間変更情報を提供する。
放送時間変更情報の提供は、変更後の番組開始時刻よりも充分前に行われ、録画時刻変更動作の実行を可能にする。
また番組情報及び放送時間変更情報の提供手段は、電子メール、ソケットコネクション、定期ポーリング等の技術を用いて実現する。
【００２７】
図６はレコーダ装置１３０で処理される録画予約情報の一例を示す図である。番組情報提供装置１２０に登録されているレコーダ装置１３０では、ネットワークを介して、番組情報提供装置１２０から番組情報が提供され、ユーザの操作により、任意の番組に対して、「番組名（番組ＩＤ）」、「放送局名」、「放送日」、「開始時刻」及び「終了時刻」の入力が行われ、録画予約が行われる。
本図（ａ）に示すように、一例として、記憶部１３３に放送局が異なる録画予約情報として放送局「テレビ○○」の「ドラマスペシャル」、放送局「××テレビ」の「ドキュメント日本」が保存されているとする。なお、異なる放送局の番組の録画予約では「開始時刻」及び「終了時刻」の予約時間が重複しないようする。念のために、同一の放送局の番組の録画予約では予約時間に重複は生じない。
【００２８】
さらに、レコーダ装置１３０では、ネットワークを介して、番組情報提供装置１２０から放送時間変更情報が提供される。
本図（ｂ）に示すように、一例として、放送局「テレビ○○」の「プロ野球△△対□□」の番組が３０分延長された場合には、レコーダ装置１３０では番組情報提供装置１２０から放送局「テレビ○○」に関連する番組「ニュース」、「ドラマスペシャル」…の放送時間変更情報の提供を受け取る。
【００２９】
さらに、レコーダ装置１３０では、提供された放送時間変更情報に該当する録画予約の番組に対して、変更後の放送時間と他の放送局の録画予約時間とに重複がある合には、重複した時間帯の録画を携帯端末１４０に録画させるために差分録画情報を作成する。レコーダ装置１３０は作成した差分録画情報を携帯端末１４０に送信し、携帯端末１４０からの録画実行指示を受ける。
【００３０】
本図（ｃ）に示すように、放送時間変更情報の提供を受けた後には放送局「××テレビ」の「ドキュメント日本」の録画予約時間と放送局「テレビ○○」の「ドラマスペシャル」の変更放送時間との間の重複時間が差分録画情報として作成される。
図７は図６の「ドラマスペシャル」と「ドキュメント日本」との間の差分録画情報例を説明する図である。
【００３１】
本図（ａ）に示すように、放送局「テレビ○○」の「ドラマスペシャル」の録画予約の時間「２１：００から２１：５６」と放送局「××テレビ」の「ドキュメント日本」の録画予約の時間「２２：００から２３：００」には重複はない。
本図（ｂ）に示すように、「ドラマスペシャル」の前の番組の３０分の放送時間の延長では、「ドラマスペシャル」の放送時間は「ドキュメント日本」の録画予約の時間「２２：００から２３：００」と比較して、重複する。この場合は、「ドキュメント日本」の録画予約の開始時刻から「ドラマスペシャル」の変更後放送終了時刻までの「２２：００から２２：２６」が差分録画情報となる。
【００３２】
本図（ｃ）に示すように、「ドラマスペシャル」の前の番組の１時間３０分の放送時間の延長では、「ドラマスペシャル」の放送時間は「ドキュメント日本」の録画予約の時間「２２：００から２３：００」と比較して、重複する。この場合は、「ドラマスペシャル」の変更後放送開始時刻から「ドキュメント日本」の録画予約の終了時刻までの「２２：３０から２３：００」が差分録画情報となる。
【００３３】
本図（ｄ）に示すように、「ドラマスペシャル」の前の番組の２時間１０分の放送時間の延長では、「ドラマスペシャル」の放送時間は「ドキュメント日本」の録画予約の時間「２２：００から２３：００」とは重複しなくなる。
図８は図１における放送番組録画システムの録画予約変更動作例を説明するフローチャートである。本図において、レコーダ装置１３０では、例えば、予め図６（ａ）に示すように録画予約時間が設定された状態を想定しているとする。
【００３４】
ステップＳ２０１において、レコーダ装置１３０は番組情報提供装置１２０から、例えば、図６（ｂ）に示す放送時間変更情報の提供を受ける。
ステップＳ２０２において、レコーダ装置１３０では、受信した放送時間変更情報に対して録画予約情報に該当する番組があるか否かを確認する。放送時間変更情報に該当する番組がない場合には処理を終了する。例えば、図６（ａ）と図６（ｂ）を比較して、「ドラマスペシャル」の番組の録画予約時間「２１：００〜２１：５４」に対して変更放送時間「２１：３０〜２２：２４」に該当する番組があると判断される。
【００３５】
ステップＳ２０３において、放送時間変更情報に対して録画予約情報に放送時間変更情報に該当する番組がある場合には、放送時間変更情報に該当する番組に重複する他の番組が検索される。受け取った放送時間変更情報に重複する他の番組の録画予約情報があるか否かを確認する。
例えば、図６（ａ）、（ｂ）において、録画予約時には「ドラマスペシャル」と「ドキュメント日本」の録画予約時間には重複はないが、放送時間変更情報に該当する番組「ドラマスペシャル」の放送時間変更後には他の予約番組の「ドキュメント日本」の録画予約時間「２２：００から２３：００」に対して重複ありと判断される。
【００３６】
ステップＳ２０４において、重複がある場合、放送時間の変更があった番組の録画予約に対して差分録画情報を生成し、電子メール等でレコーダ装置１３０から携帯端末１４０に送信する。
例えば、図６（ｃ）に示すように、「ドラマスペシャル」の差分録画情報の生成では、「２２：００から２２：２４」が差分録画とされる。
【００３７】
ステップＳ２０５において、図７（ｄ）に示すように、重複がない場合、放送時間変更情報にしたがって、放送時間変更情報に該当する番組の録画予約情報を更新する。このとき、既に録画が始まっている場合は停止する。記憶領域の消費を防止するためである。更新後処理を終了する。
ステップＳ２０６において、携帯端末１４０からレコーダ装置１３０で差分録画を実行すべしとの指示を受信したか否かを判断する。差分録画の録画を行うべしとの実行指示の受信があったか否かを、例えば放送時間変更情報に該当する番組の開始時刻までの間において定期的に確認する。
【００３８】
ステップＳ２０７において、レコーダ装置１３０では、携帯端末１４０から差分録画の録画を行うという実行指示の受信があった場合には、放送時間変更情報に基づいて放送時間変更情報に該当する番組の録画予約情報を更新する。
例えば、「ドラマスペシャル」の録画予約時間を「２１：００〜２１：５４」から「２１：３０〜２２：２４」に更新する。
【００３９】
ステップＳ２０８において、他の番組の録画予約をキャンセルする。例えば、録画予約時間「２２：００から２３：００」の他の予約番組の「ドキュメント日本」に対して、録画予約をキャンセルする。これは、重複した「ドキュメント日本」よりも放送時間が変更された「ドラマスペシャル」の録画予約を優先したことになる。更新後処理を終了する。
ステップＳ２０９において、携帯端末１４０からレコーダ装置１３０で差分録画を実行すべしとの指示を受信しなかった場合には、携帯端末１４０で送時間変更情報に該当する番組の差分録画が実行されるので、レコーダ装置１３０で差分録画の予約以外の録画予約について放送時間変更情報に基づいて更新を行う。この更新により、不要な録画分の記憶領域の消費を最低限に抑えることが可能になる。
【００４０】
この更新の場合、重複する他の番組の「ドキュメント日本」の録画予約は予定通りである。例えば、図６（ｂ）に示す放送時間変更情報に対しては、レコーダ装置１３０で、放送時間変更情報に該当する番組で差分録画以外の録画予約時間は「２１：３０から２２：００」に更新される。更新後処理を終了する。
ステップＳ２１０において、携帯端末１４０はレコーダ装置１３０から差分録画情報を受信する。
【００４１】
ステップＳ２１１において、携帯端末１４０では受信した差分録画情報を録画するか否かの問い合わせを表示部１４６に表示し、ユーザの入力を待つ。ユーザが差分録画情報を録画することを選択しなかった場合には処理を終了する。この場合、後述する差分録画実行指示送信が行われない。レコーダ装置１３０では、放送時間変更情報に該当する予約番組の差分録画以外の録画と他の予約番組の録画が予定通り行われる。レコーダ装置１３０では、放送時間変更情報に該当する予約番組の重複部分が録画されないが、他の重複する番組との重複が回避される。
【００４２】
ステップＳ２１２において、ユーザが差分録画を予約することを選択した場合には、差分録画をレコーダ装置１３０又は携帯端末１４０のうちどの装置で録画するかの問い合わせを表示部１４６に表示し、ユーザの入力を待つ。
ステップＳ２１３において、レコーダ装置１３０で差分録画するとのユーザの入力があると、携帯端末１４０からレコーダ装置１３０に対して差分録画を実行すべしとの指示を送信する。この指示は電子メール等で行う。前述のように、レコーダ装置１３０では、放送時間変更情報に該当する予約番組の録画が行われ、重複する他の予約番組はキャンセルされる。この送信後に処理を終了する。
【００４３】
ステップＳ２１４において、携帯端末１４０で録画するとのユーザの入力があると、携帯端末１４０では放送時間変更情報に該当する予約番組の差分録画の予約を行う。この場合、差分録画実行指示送信が行われない。前述のように、レコーダ装置１３０では、放送時間変更情報に該当する予約番組の差分録画以外の録画の予約を行い、さらに、重複した他の番組の録画予約が予定通りに行われ、レコーダ装置１３０での重複録画を回避することが可能になる。差分録画の予約後に処理を終了する。
【００４４】
したがって、本発明によれば、レコーダ装置１３０にて予約録画番組情報を有している場合に、放送時間変更情報を入手して予約録画番組情報の重複を検索して、当初の予約設定では録画できない差分を求めて携帯端末１４０に差分情報を送信し、携帯端末１４０で当初の予約設定では録画できない差分の録画が可能になるとと共に、重複した他の番組の録画予約も予定通りに録画できる。これにより、レコーダ装置１３０で録画できなかった部分を携帯端末１４０で連携して録画可能になり、番組を見逃す機会を大幅に減らすことが可能になり、さらに、不要な録画分の記憶領域の消費を最低限に抑えることが可能になる。
【実施例１】
【００４５】
図８のステップＳ２０３において、重複がある場合、レコーダ装置１３０側では放送時間変更情報に該当する番組の録画予約情報を更新し、重複した他の番組の録画予約をキャンセルし、レコーダ装置１３０から携帯端末１４０に対して重複した他の番組の録画予約を行うようにしてもよい。
例えば、レコーダ装置１３０側で該当する番組の「ドラマスペシャル」の録画予約を更新し、重複した他の番組「ドキュメント日本」の録画予約をキャンセルし、レコーダ装置１３０から携帯端末１４０に対して重複した他の番組「ドキュメント日本」の録画予約を行う。
このように、レコーダ装置１３０と携帯端末１４０の間で連携して録画が可能になる。
【実施例２】
【００４６】
図８のステップＳ２０３において、重複がある場合、レコーダ装置１３０側では放送時間変更情報に該当する番組をキャンセルし、レコーダ装置１３０から携帯端末１４０に対して放送時間変更情報に該当する番組の録画予約を行うようにしてもよい。
例えば、レコーダ装置１３０側で放送時間変更情報に該当する番組の「ドラマスペシャル」の録画予約をキャンセルし、レコーダ装置１３０から携帯端末１４０に対して該当する番組の「ドラマスペシャル」の録画予約を行う。
このように、レコーダ装置１３０と携帯端末１４０の間で連携して録画が可能になる。
【実施例３】
【００４７】
図８のステップＳ２０３において、重複がない場合でも、レコーダ装置１３０から携帯端末１４０に問い合わせを行い、放送時間変更を行う該当番組を携帯端末１４０で録画予約し、レコーダ装置１３０側で放送時間変更情報に該当する番組の録画予約をキャンセルするようにしてもよい。
例えば、レコーダ装置１３０で放送時間変更情報に該当する番組「ドラマスペシャル」の録画予約をキャンセルし、放送時間変更情報に該当する番組「ドラマスペシャル」を携帯端末１４０側で録画予約する。
このように、レコーダ装置１３０と携帯端末１４０の間で連携して録画が可能になる。
【実施例４】
【００４８】
図８のステップＳ２１０において、レコーダ装置１３０では予定の時間帯に放送時間変更情報を受信した場合、携帯端末１４０では自動的に放送時間変更情報に該当する番組を録画するようにしてもよい。
これにより、例えば、深夜など、ユーザがレコーダ装置１３０の確認操作するのが難しい場合も携帯端末１４０の確認操作を行えばよいので、有用になる。
【実施例５】
【００４９】
図９は図１の変形例に係る放送番組録画システムの概略構成を示すブロック図である。本図に示すように、図１と比較して、携帯端末１４０が番組情報提供装置１２０から番組情報を受信し、録画を所望する番組を選び、レコーダ装置１３０に録画予約情報を送信する。
すなわち、レコーダ装置１３０で実行する録画予約情報を携帯端末１４０に保存している状態になっている。
【００５０】
また、番組情報提供装置１２０は、登録されている携帯端末１４０に対して、放送時間変更情報を提供する。この提供手段は、電子メール、ショートメッセージ、待ち受けＪａｖａ（登録商標）アプリケーション等の技術を用いて実現する。
図１０は図９の放送番組録画システムの録画予約変更動作例を説明するフローチャートである。
【００５１】
本図に示すように、ステップＳ２２１〜２２３は放送時間変更情報を受信して重複している予約番組があるか否かを判断する処理であり、図８のステップＳ２０１〜２０３と同様である。
ステップＳ２２３において、放送時間変更情報に該当する番組に重複する他の番組が検索される。受け取った放送時間変更情報に重複する他の番組の録画予約情報があるか否かを確認する。
【００５２】
ステップＳ２２４において、重複がない場合、電子メール等の手段でレコーダ装置１３０に予約変更情報を送信する。予約変更情報にはステップＳ２２２で該当する番組（すなわち予約設定されている番組）の変更後の開始時刻と終了時刻を含むようにする。送信後処理を終了する。
ステップＳ２２５において、重複があった場合、図８の２０４と同様にして差分録画情報を生成する。
【００５３】
ステップＳ２２６において、携帯端末１４０で生成した差分録画情報を携帯端末１４０又はレコーダ装置１３０のうちどの装置で録画するかの問い合わせを表示部１４６に表示し、ユーザの入力を待つ。ユーザが差分録画情報を録画することを選択しなかった場合には処理を終了する。この場合、携帯端末１４０からレコーダ装置１３０に対して差分録画を実行すべしとの指示が送信されない。
ステップＳ２２７において、携帯端末１４０で録画するとのユーザの入力があると、携帯端末１４０では放送時間変更情報に該当する予約番組の差分録画の予約を行う。この場合、携帯端末１４０からレコーダ装置１３０に対して差分録画を実行すべしとの指示が送信されない。
【００５４】
ステップＳ２２８において、レコーダ装置１３０で差分録画するとのユーザの入力があると、携帯端末１４０からレコーダ装置１３０に対して差分録画を実行すべしとの指示を送信する。この指示は電子メール等で行う。
ステップＳ２２９において、レコーダ装置１３０では、携帯端末１４０から予約変更情報を受信したか否かを判断する。受信しない場合にはステップＳ２３１に進む。
【００５５】
ステップＳ２３０において、レコーダ装置１３０では、予約変更情報を受信し、重複する他の予約番組がない場合には、放送時間変更情報に該当する番組の録画予約情報を更新する。このとき、既に録画が始まっている場合は停止する。記憶領域の消費を防止するためである。更新後処理を終了する。
ステップＳ２３１において、レコーダ装置１３０では携帯端末１４０から予約変更情報を受信せず、重複した他の予約番組ある場合には、携帯端末１４０から差分録画実行指示を受信したか否かを判断する。受信しない場合にはステップＳ２３４に進む
【００５６】
ステップＳ２３２において、レコーダ装置１３０では携帯端末１４０から差分録画実行指示を受信した場合には放送時間変更情報に該当する予約番組の録画予約情報を更新する。
ステップＳ２３３において、他の予約番組の録画予約をキャンセルする。例えば、録画予約時間「２２：００から２３：００」の他の予約番組の「ドキュメント日本」に対して、録画予約をキャンセルする。これは、重複した「ドキュメント日本」よりも放送時間が変更された「ドラマスペシャル」の録画予約を優先したことになる。更新後処理を終了する。
【００５７】
ステップＳ２３４において、携帯端末１４０からレコーダ装置１３０で差分録画を実行すべしとの指示を受信しなかった場合には、携帯端末１４０で放送時間変更情報に該当する番組の差分録画が実行されるので、レコーダ装置１３０で差分録画の予約以外の録画予約について放送時間変更情報に基づいて更新を行う。この更新により、不要な録画分の記憶領域の消費を最低限に抑えることが可能になる。
【００５８】
この更新の場合、重複する他の番組の「ドキュメント日本」の録画予約は予定通りである。例えば、図６（ｂ）に示す放送時間変更情報に対しては、レコーダ装置１３０で、放送時間変更情報に該当する番組で差分録画以外の録画予約時間は「２１：３０から２２：００」に更新される。更新後処理を終了する。
したがって、本発明によれば、図１の構成と同様の作用、効果を得ることが可能になり、本発明の汎用性が増す。
【実施例６】
【００５９】
図８のステップＳ２０８において、レコーダ装置１３０では放送時間変更情報に該当する録画予約をキャンセルする。
ステップＳ２０９において、レコーダ装置１３０では他の予約番組を差分録画以外の録画予約に更新する。
ステップＳ２１４において、携帯端末１４０では他の予約番組の差分録画を予約する。
これにより、本発明の汎用性が増す。
【実施例７】
【００６０】
図１０のステップＳ２２７において、携帯端末１４０では他の予約番組の差分録画を予約する。
ステップＳ２３３において、レコーダ装置１３０では放送時間変更情報に該当する録画予約をキャンセルする。
これにより、本発明の汎用性が増す。
【００６１】
ステップＳ２３４において、レコーダ装置１３０では他の予約番組を差分録画以外の録画予約に更新する。
これにより、本発明の汎用性が増す。
【実施例８】
【００６２】
本発明の放送番組録画システムでは図１の構成と図９の構成を併用してもよい。これにより、本発明の汎用性が増す。
【実施例９】
【００６３】
図１、９の構成に関連する説明では、差分録画のうち、放送時間変更情報に該当する録画予約の部分を携帯端末１４０に移動させたが、重複した他の録画予約の部分を携帯端末１４０に移動させるようにしてもよい。これにより本発明の汎用性が増す。
【産業上の利用可能性】
【００６４】
以上の説明では、携帯端末について行ったが、携帯端末には携帯電話機、ＰＨＳ（簡易型携帯電話機）、ＰＤＡ（携帯情報端末）が含まれ、これらに本発明の利用を行うことが可能である。
【図面の簡単な説明】
【００６５】
【図１】本発明に係る放送番組録画システムの概略構成を示すブロック図である。
【図２】図１における番組情報提供装置１２０の概略機能を示すブロック図である。
【図３】図１におけるレコーダ装置１３０の概略機能を示すブロック図である。
【図４】図１における携帯端末１４０の概略機能を示すブロック図である。
【図５】図１における番組情報提供装置１２０が保存し提供している、番組情報の一例を示す図である。
【図６】レコーダ装置１３０で処理される録画予約情報の一例を示す図である。
【図７】図６の「ドラマスペシャル」と「ドキュメント日本」との間の差分録画情報例を説明する図である。
【図８】図１における放送番組録画システムの録画予約変更動作例を説明するフローチャートである。
【図９】図１の変形例に係る放送番組録画システムの概略構成を示すブロック図である。
【図１０】図９の放送番組録画システムの録画予約変更動作例を説明するフローチャートである。
【符号の説明】
【００６６】
１１０…放送局
１２０…番組情報提供装置
１３０…レコーダ装置
１４０…携帯端末
１２１、１３１、１４１…通信部
１３２、１４２…放送受信部
１２２、１３３、１４３…記憶部
１２３、１３４、１４４…制御部
１３５、１４５…操作部
１４６…表示部
【図１】
2007235258.tif 000003
【図２】
2007235258.tif 000004
【図３】
2007235258.tif 000005
【図４】
2007235258.tif 000006
【図５】
2007235258.tif 000007
【図６】
2007235258.tif 000008
【図７】
2007235258.tif 000009
【図８】
2007235258.tif 000010
【図９】
2007235258.tif 000011
【図１０】
2007235258.tif 000012